(57)【要約】【課題】上簡単な構造で扉体全体の剛性を十分に確保でき、扉体の移動端側の垂れ下がりを未然に防止できるようにする。【解決手段】上下のパンタグラフ機構４，５をその一部を交差させて配置し、各パンタグラフ機構４，５に跨がって上下方向に配置され且つ交差部１２，１３で各パンタグラフ機構４，５に連結された縦枠材８とを含む扉体３を備え、各パンタグラフ機構４，５の隣り合う縦枠材８間の交差部１２，１３の遊動ピン軸２２，２３を上下に連結する連結杆２４を設け、連結杆２４のピン軸間距離Ｅを縦枠材８上の各パンタグラフ機構４，５の固定ピン軸１８，１９間のピン軸間距離Ｆよりも長くし、上側のパンタグラフ機構４の遊動ピン軸２２と固定ピン軸１８とのピン軸間距離Ｂを、下側のパンタグラフ機構５の遊動ピン軸２３と固定ピン軸１９とのピン軸間距離Ｄよりも長くする。【選択図】　　図１
2004011153.tif 000002
【特許請求の範囲】
【請求項１】
複数本の右上がり傾斜リンク（１４）（１５）と左上がり傾斜リンク（１６）（１７）とをその交差部（１２）（１３）でピン軸（１８）〜（２３）により枢着して伸縮自在に構成された上下複数のパンタグラフ機構（４）（５）をその一部を交差させて配置し、該各パンタグラフ機構（４）（５）に跨がって上下方向に配置され且つ交差部（１２）（１３）で該各パンタグラフ機構（４）（５）に連結された伸縮方向に複数の縦枠材（８）とを含む扉体（３）を備え、該扉体（３）の一端側を吊り元側支柱等の取り付け部（１）に取り付けた伸縮門扉において、各パンタグラフ機構（４）（５）の隣り合う縦枠材（８）間の交差部（１２）（１３）の遊動ピン軸（２２）（２３）を上下に連結する連結杆（２４）を設け、該連結杆（２４）のピン軸間距離（Ｅ）を縦枠材（８）上の各パンタグラフ機構（４）（５）の固定ピン軸（１８）（１９）間のピン軸間距離（Ｆ）よりも長くし、上側のパンタグラフ機構（４）の遊動ピン軸（２２）と固定ピン軸（１８）とのピン軸間距離（Ｂ）を、下側のパンタグラフ機構（５）の遊動ピン軸（２３）と固定ピン軸（１９）とのピン軸間距離（Ｄ）よりも長くしたことを特徴とする伸縮門扉。
【発明の詳細な説明】
【０００１】
【発明の属する技術分野】
本発明は、吊り下げ式の伸縮門扉に関し、扉体の伸長状態での移動端側の垂れ下がりを防止できるようにしたものである。
【０００２】
【従来の技術】
吊り下げ式伸縮門扉には、特開平９−１７７４５５号公報に記載のように、扉体の伸長状態での移動端側の垂れ下がりを防止できるようにしたものがある。
【０００３】
この吊り下げ式伸縮門扉は、複数本の右上がり傾斜リンクと左上がり傾斜リンクとをその交差部でピン軸により枢着して左右方向に伸縮自在に構成された１個のパンタグラフ機構と、上下方向に配置され且つパンタグラフ機構に交差部の固定ピン軸、可動ピン軸を介して連結された伸縮方向に複数個の縦枠材とを含む扉体を備え、この扉体の一端側を吊り元側支柱等の取り付け部に取り付けている。
【０００４】
そして、各傾斜リンクは７箇所の交差部で交差し、その上下中央の交差部を除く各交差部で両傾斜リンクをピン軸により枢着すると共に、各傾斜リンク上の隣接するピン軸相互のピン軸間距離の内、扉体の下部のピン軸間距離を上部のピン軸間距離よりも長くしている。
【０００５】
【発明が解決しようとする課題】
吊り下げ式伸縮門扉には、上下一対のパンタグラフ機構を、その一部を交差させて配置し、この一対のパンタグラフ機構に跨がって上下方向に配置され且つ交差部で各パンタグラフ機構に連結された伸縮方向に複数個の縦枠材とを含む扉体を備えたものがあるが、この種の伸縮門扉には従来の垂れ下がり防止構造を直ちに適用することはできない。
【０００６】
即ち、扉体の主要部分が１個のパンタグラフ機構で構成された伸縮門扉の場合には、扉体の中間部分に使用する各傾斜リンクは非常に長く、両傾斜リンクが７箇所等の交差部で交差する等その交差部の数が多い上に、各傾斜リンクのピン軸間距離も比較的長くなっており、扉体自体の剛性を十分に確保できるため、扉体の下部のピン軸間距離を上部のピン軸間距離よりも長くすることにより、扉体の移動端側の垂れ下がりを容易に防止できる。
【０００７】
しかし、上下一対のパンタグラフ機構の一部を交差させた伸縮門扉の場合には、各パンタグラフ機構で傾斜リンクが別々になるため、各パンタグラフ機構毎の傾斜リンクの長さが短く、各パンタグラフ機構毎の交差部の数が少なくなっている。
【０００８】
従って、各パンタグラフ機構の傾斜リンクをその交差部でピン軸により枢着して、その下部のピン軸間距離を上部のピン軸間距離よりも長くしても、交差部の数が少なく扉体全体の剛性が小さいため、扉体の移動端側の垂れ下がりを十分に防止できないという問題がある。
【０００９】
本発明は、このような従来の問題点に鑑み、上下複数のパンタグラフ機構を一部交差させて配置しているにも拘わらず、簡単な構造で扉体全体の剛性を十分に確保でき、扉体の移動端側の垂れ下がりを未然に防止できる伸縮門扉を提供することを目的とする。
【００１０】
【課題を解決するための手段】
本発明は、複数本の右上がり傾斜リンク１４，１５と左上がり傾斜リンク１６，１７とをその交差部１２，１３でピン軸１８〜２３により枢着して伸縮自在に構成された上下複数のパンタグラフ機構４，５をその一部を交差させて配置し、該各パンタグラフ機構４，５に跨がって上下方向に配置され且つ交差部１２，１３で該各パンタグラフ機構４，５に連結された伸縮方向に複数の縦枠材８とを含む扉体３を備え、該扉体３の一端側を吊り元側支柱等の取り付け部１に取り付けた伸縮門扉において、各パンタグラフ機構４，５の隣り合う縦枠材８間の交差部１２，１３の遊動ピン軸２２，２３を上下に連結する連結杆２４を設け、該連結杆２４のピン軸間距離Ｅを縦枠材８上の各パンタグラフ機構４，５の固定ピン軸１８，１９間のピン軸間距離Ｆよりも長くし、上側のパンタグラフ機構４の遊動ピン軸２２と固定ピン軸１８とのピン軸間距離Ｂを、下側のパンタグラフ機構５の遊動ピン軸２３と固定ピン軸１９とのピン軸間距離Ｄよりも長くしたものである。
【００１１】
【発明の実施の形態】
以下に、本発明の実施形態を図面に基づいて詳述する。図１〜図３は本発明の吊り下げ式伸縮門扉の第１の実施形態を例示する。この吊り下げ式伸縮門扉は、図１及び図２に示すように、出入り口等の左右両側で地面に立設された吊り元側支柱１及び戸当たり側支柱２と、これらの両支柱１，２間に左右方向に伸縮自在に配置され且つ一端側が吊り元側支柱１に取り付けられた扉体３とを備えている。
【００１２】
扉体３は左右方向に伸縮自在に構成され且つ一部が交差状に配置された上下一対のパンタグラフ機構４，５と、この一対のパンタグラフ機構４，５に跨がってその一端側に上下方向に配置された吊り元側端枠６と、一対のパンタグラフ機構４，５に跨がってその他端側に上下方向に配置された戸当たり側端枠７と、両端枠６，７間に上下方向に配置され且つ一対のパンタグラフ機構４，５に跨がって連結された伸縮方向に複数個の縦枠材８とを備えている。
【００１３】
吊り元側端枠６、戸当たり側端枠７は縦枠材を兼用している。吊り元側端枠６は扉体３を吊り元側支柱１の背後等に旋回収納できるように、吊り元側支柱１に対して縦方向のヒンジ１０廻りに回動自在に装着されている。戸当たり側端枠７は把手、施錠手段等を備え、戸当たり側支柱２に当接した閉状態で施錠手段により施錠可能である。吊り元側端枠６、戸当たり側端枠７及び縦枠材８は、パンタグラフ機構４，５の前後両側に上下方向に配置された前後の縦桟部８ａ，８ｂと、この縦桟部８ａ，８ｂの上側を前後に連結する連結部８ｃとを備えた側面視逆Ｕ字状であって、その縦桟部８ａ，８ｂの下端部が前後方向の連結部材１１により連結され、これらの内部にパンタグラフ機構４，５が配置されている。
【００１４】
各パンタグラフ機構４，５は、交差部１２，１３で交差する複数本の右上がり傾斜リンク１４，１５と左上がり傾斜リンク１６，１７とを備え、その両傾斜リンク１４，１６、１５，１７が所定の交差部１２，１３で固定ピン軸１８，１９、可動ピン軸２０，２１及び遊動ピン軸２２，２３等の前後方向の各ピン軸１８〜２３により枢着されている。
【００１５】
傾斜リンク１４，１６、１５，１７はその両端部が各端枠６，７を含む各縦枠材８に対して２箇所の交差部１２，１３で交差し、中間が各端枠６，７を含む隣り合う縦枠材８間の１箇所の交差部１２，１３でＸ字状に交差している。
【００１６】
各パンタグラフ機構４，５の傾斜リンク１４，１６、１５，１７は、下側の交差部１２，１３が各端枠６，７を含む縦枠材８に前後方向の固定ピン軸１８，１９により枢着され、上側の交差部１２，１３が各端枠６，７を含む各縦枠材８に対して前後方向の可動ピン軸２０，２１により枢着されている。
【００１７】
各傾斜リンク１４，１６、１５，１７は、各端枠６，７を含む縦枠材８間の交差部１２，１３で前後方向の遊動ピン軸２２，２３により枢着され、その遊動ピン軸２２，２３が両パンタグラフ機構４，５に跨がって設けられた上下方向の連結杆２４により連結されている。なお、連結杆２４は前後の傾斜リンク１４，１６、１５，１７間に配置されている。
【００１８】
固定ピン軸１８，１９は各端枠６，７を含む各縦枠材８に前後に貫通して固定され、可動ピン軸２０，２１は各端枠６，７を含む各縦枠材８にその前後の摺動部材（図示省略）を介して上下方向に摺動自在に設けられている。各ピン軸１８〜２３上には、両傾斜リンク１４，１６、１５，１７間又は各傾斜リンク１４，１６、１５，１７を挟んでスペーサが套嵌されている。
【００１９】
両パンタグラフ機構４，５の各ピン軸１８〜２３は、図３に示すように各端枠６，７を含む各縦枠材８と、上側パンタグラフ機構４の傾斜リンク１４，１６と、下側パンタグラフ機構５の傾斜リンク１５，１７と、上下のパンタグラフ機構４，５回の連結杆２４とにより縦長状の四節リンクを構成するように上下方向に所定のピン軸間距離Ａ〜Ｆを置いて配置され、下側のパンタグラフ機構５の可動ピン軸２１が上側のパンタグラフ機構４の固定ピン軸１８よりも上側に配置されている。
【００２０】
各パンタグラフ機構４，５の傾斜リンク１４，１６、１５，１７は、中間の遊動ピン軸２２，２３とその下側の固定ピン軸１８，１９とのピン軸間距離Ｂ，Ｄが、遊動ピン軸２２，２３とその上側の可動ピン軸２０，２１とのピン軸間距離Ａ，Ｃよりも長く、しかも上側のパンタグラフ機構４の傾斜リンク１４，１６の遊動ピン軸２２の両側のピン軸間距離Ａ，Ｂが、下側のパンタグラフ機構５の傾斜リンク１５，１７の遊動ピン軸２３の両側のピン軸間距離Ｃ，Ｄよりも長く、また右上がり傾斜リンク１４，１５、左上がり傾斜リンク１６，１７が略平行に近い状態を保つ範囲で連結杆２４の上下の遊動ピン軸２２，２３間のピン軸間距離Ｅが各端枠６，７を含む縦枠材８上の固定ピン軸１８，１９間のピン軸間距離Ｆよりも長くなっている。これによって、各端枠６，７を含む隣り合う縦枠材８の下側の固定ピン軸１９間の間隔Ｇが、上側の可動ピン軸２０間の間隔Ｈよりも長くなるようにしている。
【００２１】
因みに各端枠６，７を含む縦枠材８の長さを８５０ｍｍとした場合、その各縦枠材８のピン軸間距離Ｆは２６６．５ｍｍ、連結杆２４のピン軸間距離Ｅは２７１．５ｍｍ、上側のパンタグラフ機構４の傾斜リンク１４，１６のピン軸間距離Ｂは２５０ｍｍ、ピン軸間距離Ａは２４８．５ｍｍであり、下側のパンタグラフ機構５の傾斜リンク１５，１７のピン軸間距離Ｄは２４６．５ｍｍ、ピン軸間距離Ｃは２４５ｍｍである。縦枠材８の下側の固定ピン軸１９間の間隔Ｇは３０５ｍｍ、上側の可動ピン軸２０間の間隔Ｈは３００．５ｍｍである。
【００２２】
このような構成の伸縮門扉では、扉体３が上下一対のパンタグラフ機構４，５を交差状に設け、この両パンタグラフ機構４，５に跨がって複数本の縦枠材８を設けた構成であるにも拘わらず、簡単な構造で扉体３全体の剛性を十分に確保でき、扉体３の伸長状態での移動端側の垂れ下がりを防止することができる。
【００２３】
即ち、各パンタグラフ機構４，５の各端枠６，７を含む縦枠材８間の傾斜リンク１４，１６、１５，１７を見た場合、その中間の交差部１２，１３の遊動ピン軸２２，２３の上側のピン軸間距離Ａ，Ｃが短く、下側のピン軸間距離Ｂ，Ｄが長くなっているので、上側の可動ピン軸２０，２１間の左右方向の間隔に対して下側の固定ピン軸１８，１９の左右方向の間隔が必ず大になる。
【００２４】
このため各端枠６，７を含む隣り合う縦枠材８間に、図３に示すように上下のパンタグラフ機構４，５のＸ状に交差する傾斜リンク１４，１６、１５，１７を、その一部を上下に交差させた状態で固定ピン軸１８，１９、可動ピン軸２０，２１を介して組み込み、その両傾斜リンク１４，１６、１５，１７の交差部１２，１３の遊動ピン軸２２，２３を連結杆２４で連結し、この連結杆２４のピン軸間距離Ｅを上下のパンタグラフ機構４，５の固定ピン軸１８，１９間のピン軸間距離Ｆよりも長くすることにより、各パンタグラフ機構４，５の上側の可動ピン軸２０，２１側には内向きの力Ｆ１，Ｆ２が、下側の固定ピン軸１８，１９側には外向きの力Ｆ３，Ｆ４が夫々働く。
【００２５】
従って、隣り合う縦枠材８の上下方向の中間部分では、上側のパンタグラフ機構４による力Ｆ２と下側のパンタグラフ機構５による力Ｆ３とが逆方向に働き、隣り合う縦枠材８の上部に内向きの力Ｆ１が、下部に外向きの力Ｆ２が夫々作用することになり、傾斜リンク１４，１６、１５，１６の長さが短くその交差部１２，１３の数が少ないにも拘わらず、扉体３全体の剛性が著しく向上して扉体３の伸長状態での移動端側の垂れ下がりを確実に防止することができる。
【００２６】
特に縦枠材８上の上下のパンタグラフ機構４，５の固定ピン軸１８，１９間のピン軸間距離Ｆよりも、上下のパンタグラフ機構４，５の遊動ピン軸２２，２３を連結する連結杆２４のピン軸間距離Ｅを長くし、上側のパンタグラフ機構４の遊動ピン軸２２と固定ピン軸１８とのピン軸間距離Ｂを、下側のパンタグラフ機構５の遊動ピン軸２３と固定ピン軸１９とのピン軸間距離Ｄよりも長くすることによって、下側のパンタグラフ機構５の傾斜リンク１５，１７よりも上側パンタグラフ機構４の傾斜リンク１４，１６が立ち上がるため、極く簡単な構造で扉体３全体の剛性を向上させることができる。
【００２７】
またピン軸間距離Ｅをピン軸間距離Ｆよりも長くし、ピン軸間距離Ｂをピン軸間距離Ｄよりも長くするするだけでなく、一端側が可動ピン軸２０，２１であるピン軸間距離Ａ，Ｃを、他端側が固定ピン軸１８，１９であるピン軸間距離Ｂ，Ｄよりも長くしている。このため遊動ピン軸２２，２３よりも上側での各傾斜リンク１４，１６、１５，１７の撓みも少なくなり、各縦枠材８上での可動ピン軸２２，２３の位置が安定し扉体３を円滑に伸縮させることができる。
【００２８】
更に上下のパンタグラフ機構４，５はその一部を上下に交差させて配置しているので、各端枠６，７を含む縦枠材８の上下方向の長さを短くすることができる。また上下のパンタグラフ機構４，５はその一部を上下に交差させて配置しているため、上下のパンタグラフ機構４，５が交差しない場合に比較して、各傾斜リンク１４，１６、１５，１７の長さが長くなり、縦枠材８の数を少なくでき、製造コストを低減することができる。
【００２９】
なお、この実施形態では、各傾斜リンク１４，１６、１５，１７において、その遊動ピン軸２２，２３の上側のピン軸間距離Ａ，Ｃよりも下側のピン軸間距離Ｂ，Ｄを長くし、また上側の傾斜リンク１４，１６のピン軸間距離Ｂを下側の傾斜リンク１５，１７のピン軸間距離Ｄよりも長くしているが、そのピン軸間距離Ｂ，Ｄとピン軸間距離Ａ，Ｃとを同じにしても良い。
【００３０】
また連結杆２４のピン軸間距離Ｅが上下のパンタグラフ機構４，５の固定ピン軸１８，１９間のピン軸間距離Ｆよりも長ければ十分であり、各パンタグラフ機構４，５の対応する傾斜リンク１４，１６、１５，１７を上下に接近させて、一対の傾斜リンク１４，１６、１５，１７、各端枠６，７を含む縦枠材８、及び連結杆２４により横長状の四節リンクを構成するようにしても良い。
【００３１】
図４及び図５は本発明の第２の実施形態を例示する。この実施形態では、連結杆２４が他の縦枠材８等と同様に側面視逆Ｕ字状に構成され、その連結杆２４の内部に上下のパンタグラフ機構４，５が設けられている。
【００３２】
連結杆２４は他の縦枠材８等と同様にパンタグラフ機構４，５の前後両側に上下方向に配置された前後の縦桟部２４ａ，２４ｂと、この縦桟部２４ａ，２４ｂの上側を前後に連結する連結部２４ｃとを備えた側面視逆Ｕ字状であって、その前後の縦桟部２４ａ，２４ｂに跨がって各パンタグラフ機構４，５の遊動ピン軸２２，２３が貫通状に固定されている。そして、連結杆２４は、扉体３が最大伸長状態のときにその下端が各端枠６，７、縦枠材８の下端と略同一高さとなり、最小の縮小状態のときにその上端が各端枠６，７、縦枠材８の上端と略同一高さとなる長さになっている。
【００３３】
なお、連結杆２４の下端側には、他の縦枠材８と同様にその下端側を前後に連結する連結部材２５を設けても良い。他の構成は、第１の実施形態と同様である。
【００３４】
このように連結杆２４を各端枠６，７、縦枠材８等と同様の側面視逆Ｕ字状等に構成して、その連結杆２４の内部に上下のパンタグラフ機構４，５を配置しても良い。この場合にも、連結杆２４の遊動ピン軸２２，２３間のピン軸間距離Ｅを固定ピン軸１８，１９間のピン軸間距離Ｆよりも長くする等、各ピン軸間距離Ａ〜Ｆの長さ関係を第１の実施形態と同様にすることによって、扉体３の伸長状態での移動端側の垂れ下がりを防止することができる。
【００３５】
図６は本発明の第３の実施形態を例示する。この実施形態では、上のパンタグラフ機構４は、中間の長い傾斜リンク１４，１６が４箇所の交差部１２で交差するように構成されており、各端枠６，７を含む縦枠材８に対応して上下２箇所の交差部１２があり、各端枠６，７を含む隣り合う縦枠材８間に上下２箇所の交差部１２がある。
【００３６】
そして、各端枠６，７を含む縦枠材８に対応する交差部１２では上側でその中間が谷状に、下側でその端部が山状に夫々交差し、各端枠６，７を含む隣り合う縦枠材８間の交差部１２では上側でその端部が山状に、下側でその中間が谷状に夫々交差している。なお、各傾斜リンク１４，１６の遊動ピン軸２２ａと可動ピン軸２０との間のピン軸間距離Ａ１は、ピン軸間距離Ａと略同じ程度になっている。その他の構成は、第１又は第２の実施形態と同様である。
【００３７】
このように上側のパンタグラフ機構４，５は、各端枠６，７を含む隣り合う縦枠材８間で上側に山形状に突出するように構成しても良く、この場合には扉体３全体の剛性が更に向上する。なお、上側のパンタグラフ機構４に代えて、下側のパンタグラフ機構５を、各端枠６，７を含む隣り合う縦枠材８間で下側に山形状に突出するように構成しても良い。
【００３８】
以上、本発明の各実施形態について詳述したが、本発明はこの各実施形態に限定されるものではなく、その他種々の態様で実施することができる。例えば、上下のパンタグラフ機構４，５は、中間の長い傾斜リンク１４，１６、１５，１７が互いに４箇所で交差し、各端枠６，７を含む縦枠材８に対して上下方向に２箇所の交差部１２，１３で交差するようにしても良い。
【００３９】
また各実施形態では縦枠材８、連結杆２４等に真っ直ぐな部材を使用しているが、扉体３の収縮状態で互いに干渉しない構造であれば、湾曲状、その他の部材を使用することも可能である。パンタグラフ機構４，５は上下方向に２個以上の複数あれば良い。扉体３の吊り元側は、吊り元側支柱１以外のものに取り付けるようにしても良い。縦枠材８は上下方向に配置される部材であれば十分であり、必ずしも逆Ｕ字状に構成する必要はなく、逆Ｕ字状以外の形状、構造のものを使用しても良い。
【００４０】
更に各実施形態のピン軸間距離Ａ〜Ｈ等の寸法は、その相対的な長短関係を示す一例に過ぎず、その寸法に限定されるものではない。従って、大きい寸法はピン軸間距離が長く、それよりも小さい寸法はピン軸間距離がそれよりも相対的に短いことを示すに過ぎない。伸縮門扉は出入り口等の左右両側に吊り元側支柱１を設けておき、その各吊り元側支柱１に扉体３の吊り元側端枠５をヒンジ１０等を介して取り付け、各扉体３の移動端側の端枠同士を施錠手段等で施錠するようにしても良い。
【００４１】
【発明の効果】
本発明では、複数本の右上がり傾斜リンク１４，１５と左上がり傾斜リンク１６，１７とをその交差部１２，１３でピン軸１８〜２３により枢着して伸縮自在に構成された上下複数のパンタグラフ機構４，５をその一部を交差させて配置し、該各パンタグラフ機構４，５に跨がって上下方向に配置され且つ交差部１２，１３で該各パンタグラフ機構４，５に連結された伸縮方向に複数の縦枠材８とを含む扉体３を備え、該扉体３の一端側を吊り元側支柱等の取り付け部１に取り付けた伸縮門扉において、各パンタグラフ機構４，５の隣り合う縦枠材８間の交差部１２，１３の遊動ピン軸２２，２３を上下に連結する連結杆２４を設け、該連結杆２４のピン軸間距離Ｅを縦枠材８上の各パンタグラフ機構４，５の固定ピン軸１８，１９間のピン軸間距離Ｆよりも長くし、上側のパンタグラフ機構４の遊動ピン軸２２と固定ピン軸１８とのピン軸間距離Ｂを、下側のパンタグラフ機構５の遊動ピン軸２３と固定ピン軸１９とのピン軸間距離Ｄよりも長くしているので、上下複数のパンタグラフ機構４，５を一部交差させて配置しているにも拘わらず、簡単な構造で扉体３全体の剛性を十分に確保でき、扉体３の移動端側の垂れ下がりを未然に防止できる。
【図面の簡単な説明】
【図１】本発明の第１の実施形態を示す吊り下げ式伸縮門扉の正面図である。
【図２】本発明の第１の実施形態を示す吊り下げ式伸縮門扉の側面断面図である。
【図３】本発明の第１の実施形態を示す吊り下げ式伸縮門扉の概略構成図である。
【図４】本発明の第２の実施形態を示す吊り下げ式伸縮門扉の正面図である。
【図５】本発明の第２の実施形態を示す吊り下げ式伸縮門扉の側面断面図である。
【図６】本発明の第３の実施形態を示す吊り下げ式伸縮門扉の概略構成図である。
【符号の説明】
１　吊り元側支柱（取り付け部）
３　扉体
４，５　パンタグラフ機構
８　縦枠材
１２，１３　交差部
１４，１５　右上がり傾斜リンク
１６，１７　左上がり傾斜リンク
１８，１９　固定ピン軸
２０，２１　可動ピン軸
２２，２３　遊動ピン軸
２４　連結杆
Ａ〜Ｈ　ピン軸間距離
【図１】
2004011153.tif 000003
【図２】
2004011153.tif 000004
【図３】
2004011153.tif 000005
【図４】
2004011153.tif 000006
【図５】
2004011153.tif 000007
【図６】
2004011153.tif 000008